(57)【要約】【課題】本発明は、スピーカの背面側にダクトを形成すると共にダクトを構成する部材によりスピーカの背面を支持することにより小型化されたスピーカユニットを提供することを目的とする。【解決手段】本発明のスピーカユニット１は、正面部１１に開口１３が形成されると共に背面部２１に連通孔２２が形成される筐体と、開口１３から音出力面５１０が露出された状態で筐体内に配置されるスピーカ５００と、筐体の内側面２４における連通孔２２の近傍に形成されスピーカ５００における音出力面５１０と反対側の背面５３０を支持する支持部材としてのリブ２５ａ、２５ｂと、を備える。そして、リブ２５ａ、２５ｂは、一端が連通孔２２に連続すると共に筐体内部と筐体外部とをつなぐ連続した空間で構成される連通路２３ａを有する。【選択図】図３
2008263361.tif 000002
【特許請求の範囲】
【請求項１】
正面部に開口が形成されると共に背面部に連通孔が形成される筐体と、
前記開口から音声出力面が露出された状態で前記筐体内に配置されるスピーカと、
前記筐体の内側面における前記連通孔の近傍に形成され前記スピーカにおける前記音出力面と反対側の背面を支持する支持部材と、を備え、
前記支持部材は、一端が前記連通孔に連続すると共に前記筐体内部と前記筐体外部とをつなぐ連続した空間で構成される連通路を有するスピーカユニット。
【請求項２】
前記連通孔は、前記スピーカの背面に対向する位置に形成される請求項１に記載のスピーカユニット。
【請求項３】
前記連通路は、前記筐体の前記正面部又は前記背面部と平行な平面上に延設されるように形成される請求項１又は２に記載のスピーカユニット。
【請求項４】
前記連通路は、前記平面上に渦巻き状に形成される請求項３に記載のスピーカユニット。
【請求項５】
前記筐体は、
前記正面部を有する第１ケース部材と、前記背面部を有する第２ケース部材とが結合されて形成され、
前記支持部材は、前記第１ケース部材と前記第２ケース部材とが結合されることで前記スピーカの背面に当接される請求項１から４のいずれか１項に記載のスピーカユニット。
【発明の詳細な説明】
【技術分野】
【０００１】
本発明は、スピーカユニットに関する。
【背景技術】
【０００２】
従来、スピーカを収容するスピーカボックスにおいて、スピーカの音出力面から生じる音圧と同じ音圧が筐体内部に発生することが知られている。スピーカボックスが密閉されている場合には、音圧がスピーカの音出力面を構成する振動板の動きを妨げる場合がある。また、スピーカボックスを構成する筐体にかかるエネルギーも大きくなり、いわゆる箱鳴りと呼ばれる現象を引き起こす場合がある。つまり、スピーカから発せられる音が不明瞭になることや、良好な周波数特性が取れなくなる場合がある。
【０００３】
これに対し、筐体の内部から外部に連通するダクトを形成することで、音圧を低減させるスピーカ装置が提案されている（例えば、特許文献１参照）。
【特許文献１】特開２０００−０６９５８２号公報
【発明の開示】
【発明が解決しようとする課題】
【０００４】
しかし、特許文献１のスピーカ装置では、ダクトをスピーカの音出力面と同じ側に厚さ方向に延びるように形成しているので、スピーカ装置が大型化する場合があった。
【０００５】
本発明は、スピーカの背面側にダクトを形成すると共にダクトを構成する部材によりスピーカの背面を支持することにより小型化されたスピーカユニットを提供することを目的とする。
【課題を解決するための手段】
【０００６】
本発明は、正面部に開口が形成されると共に背面部に連通孔が形成される筐体と、前記開口から音声出力面が露出された状態で前記筐体内に配置されるスピーカと、前記筐体の内側面における前記連通孔の近傍に形成され前記スピーカにおける前記音出力面と反対側の背面を支持する支持部材と、を備え、前記支持部材は、一端が前記連通孔に連続すると共に前記筐体内部と前記筐体外部とをつなぐ連続した空間で構成される連通路を有する
スピーカユニットに関する。
【０００７】
また、前記連通孔は、前記スピーカの背面に対向する位置に形成されることが好ましい。
【０００８】
また、前記連通路は、前記筐体の前記正面部又は前記背面部と平行な平面上に延設されるように形成されることが好ましい。
【０００９】
また、前記連通路は、前記平面上に渦巻き状に形成されることが好ましい。
【００１０】
また、前記筐体は、前記正面部を有する第１ケース部材と、前記背面部を有する第２ケース部材とが結合されて形成され、前記支持部材は、前記第１ケース部材と前記第２ケース部材とが結合されることで前記スピーカの背面に当接されることが好ましい。
【発明の効果】
【００１１】
本発明によれば、スピーカの背面側にダクトを形成すると共にダクトを構成する部材によりスピーカの背面を支持することにより小型化されたスピーカユニットを提供することができる。
【発明を実施するための最良の形態】
【００１２】
以下、図面を参照して本発明を実施するための最良の形態を説明する。
図１から図４により、本実施形態のスピーカユニット１について説明する。図１は、スピーカユニット１の斜視正面図を示す。図２は、スピーカユニット１の斜視裏面図を示す。
図３は、スピーカユニット１のＸ―Ｘ断面図を示す。図４は、スピーカユニット１におけるダクトの構造を説明する図を示す。
【００１３】
図１及び図２に示すように、スピーカユニット１は、正面部１１を有する第１ケース１０と、背面部２１を有する第２ケース２０とを有する。第１ケース１０及び第２ケース２０は、薄型の直方体における一方の面が開口された部材であり、互いの開口が向かい合うように結合されることで、スピーカユニット１の筐体外形を構成する。
【００１４】
図１に示すように、第１ケース１０における正面部１１には、スピーカ用開口１３が形成される。スピーカ用開口１３からスピーカ５００における音出力面５１０が露出する。つまり、スピーカ５００は、音出力面５１０がスピーカ用開口１３から露出するようにスピーカユニット１の筐体内部に収納配置される。
【００１５】
図２に示すように、第２ケース２０における背面部２１には、連通孔２２が形成される。連通孔２２は、図３に示すように、スピーカ５００の背面５３０に対向する位置に形成される。
【００１６】
図３に示すように、スピーカ５００は、本体部５２０と、音出力面５１０とを有する。本体部５２０は不図示の磁石部とボイスコイル部とを有する。音出力面５１０は、コーン型の振動板からなる。音出力面５１０は、第１ケース１０に形成されるスピーカ用開口１３から外部空間９１０に露出する。言い換えると、スピーカ５００は、音出力面５１０がスピーカ用開口１３を介して外部空間９１０に露出した状態でスピーカユニット１の内部に収納配置される。
【００１７】
スピーカ５００の背面５３０は、支持部材を構成するリブ２５ａ、２５ｂにより支持される。詳細には、スピーカ５００の背面５３０は、リブ２５ａ、２５ｂの端面により構成される支持部３０により支持される。そして、上述の通り、第２ケース２０におけるスピーカ５００の背面５３０に対向する位置に連通孔２２が形成される。
【００１８】
スピーカ５００の背面５３０に当接して支持する支持部３０は、リブ２５ａ、２５ｂの端面により構成される。具体的には、支持部３０は、リブ２５ａ、２５ｂの第２ケース２０側と反対の端面が同じ平面上に位置するように調整されて形成される。つまり、リブ２５ａ、２５ｂの高さ及び端面は、平面状の背面５３０に均等に当接するように形成される。
【００１９】
図３及び図４に示すように、リブ２５ａ、２５ｂは、第２ケース２０の内面２４から該内面２４に対して垂直に立ち上がるように形成される。リブ２５ａとリブ２５ｂとは、それぞれ内面２４上に一部が開口した円状（Ｃ字状）に形成され、内面２４の平面方向において互いに平行に形成される。このリブ２５ａ、２５ｂは支持部材を構成すると共に、後述するダクト２３を構成する。
【００２０】
図３及び図４に示すように、第２ケース２０の背面部２１の内面２４に沿うようにダクト２３が形成される。ダクト２３は、リブ２５ａ、２５ｂとスピーカ５００の背面５３０とにより構成される。具体的には、リブ２５ａ、２５ｂの端面側にスピーカ５００の背面５３０が当接して配置されることで、内面２４とリブ２５ａとリブ２５と背面５３０とにより囲まれる空間を有するダクト２３が形成される。
【００２１】
ダクト２３の内部には、スピーカユニット１の内部空間９００と外部空間９１０とをつなぐ連続した空間である連通路２３ａが形成される。図４に示すように、連通路２３ａは、第１ケース１０の正面部１１及び第２ケース２０の背面部２１と平行な平面である内面２４上に渦巻き状に延設される。また、連通路２３ａは、ダクト２３における内部空間９００側の連通開口２２ａと、外部空間側の連通孔２２とをつなぐように形成される。
【００２２】
連通孔２３ａは、スピーカユニット１における厚さ方向ではなく、内面２４における平面方向に延びるように形成される。そして、連通路２３ａの長さは、従来の位相反転形（バスレフ）スピーカと同様に、スピーカユニット１から出力される音響における所望の周波数を増幅して強調するために、後面からの音波の位相を反転してやリ前面からの音波と位相を一致させて放射する、即ちスピーカ背面側からの音がスピーカ前面側からの音に対して２分の１波長だけ遠回りして出力されるような長さに設定されるのが好ましい。よって、連通路２３ａの長さは、強調させたい周波数（たとえば、低音域の周波数など）に応じて変更される。さらには、ダクト２３に、連通路２３ａの長さを可変とすることができる可変機構を設けて、強調される周波数を変更可能に構成するようにしてもよい。また、この連通路２３ａの長さは、特定の周波数を強調させるように設定されるばかりでなく、スピーカ５００の周波数特性に応じて、スピーカユニット１から出力される音響における任意の周波数を減衰させるように設定するようにしてもよい。さらには、この連通路２３ａの長さを、スピーカ５００の共振周波数を相殺するような長さに設定するようにしてもよい。
【００２３】
スピーカユニット１の組み立て手順について説明する。
まず、図３に示すように、スピーカ５００を音出力面５１０がスピーカ用開口１３を介して外部空間９１０に露出するように第１ケース１０に配置する。そして、この第１ケース１０に図４に示す第２ケース２０を結合させる。この結合構造としては、ねじ結合や接着結合や溶着などの従来と同様の結合構造を用いるようにすればよい。なお、第１ケース１０と第２ケース２０との各結合面の間にゴム部材などのシール部材を介在させて結合させるようにしてもよい。
【００２４】
このように第１ケース１０と第２ケース２０とを結合することで、図３に示すように、スピーカ５００はリブ２５ａ、２５ｂにより背面５３０を支持される。つまり、第１ケース１０と第２ケース２０とを結合することで、スピーカ５００は支持部３０により背面５３０を支持される。
【００２５】
本実施形態によれば、スピーカユニット１には連通路２３ａを有するダクト２３が形成されているので、内圧がかかることによる箱鳴りや音が不明瞭なることを抑制できる。
【００２６】
また、本実施形態によれば、スピーカ５００の背面５３０側にダクト２３を形成すると共に、ダクト２３を構成するリブ２５ａ、２５ｂよりスピーカ５００の背面５３０を支持するようにしたので、小型化されたスピーカボックスを提供することができる。特に、スピーカユニット１を、正面部１１や背面部２１の面積が小さくするように小型化することができる。例えば、スピーカユニット１を、図１における高さ方向の大きさを小さくすることができる。
【００２７】
また、本実施形態によれば、ダクト２３を構成するリブ２５ａ、２５ｂによりスピーカ５００の背面５３０を支持するように構成したので、部品点数を削減することができコストを削減することができる。また、第１ケースと１０と第２ケース２０とを結合することで、スピーカ５００を固定することができるので、ネジ止めや接着剤によりスピーカ５００を固定する工程が不要である。これにより、組み立て作業を軽減することができる。
【００２８】
また、本実施形態によれば、ダクト２３は第２ケース２０に一体的に形成されるので、第２ケース２０を成型する工程でダクト２３を構成するリブ２５ａ、２５ｂを同時に成型することができる。また、ダクト２３における連通路２３ａの長さや断面積も、第２ケース２０を成型する金型を調整することで容易に変更することができる。また、リブ２５ａ、２５ｂは第２ケース２０の内面２４に対して垂直にまっすぐ延びるように形成されるので、アンダーカットと呼ばれる離型時に邪魔となる形状も無く、好適に成型することができる。
【００２９】
また、本実施形態によれば、連通路２３ａは、第２ケース２０の内面２４における平面方向に螺旋状に形成されるので、連通路２３ａの長さを長くしてもスピーカユニット１は大型化されなない。
【００３０】
以上、本形態の好適な実施形態について説明したが、本発明は上述した実施形態に限定されることなく種々の形態で実施することができる。例えば、本実施形態において、スピーカユニット１として独立した状態のスピーカユニットの説明をしているが、これに限定されず、スピーカユニット１はクレードル等に収納されていてもよい。
【００３１】
また、本実施形態において、連通路２３ａは螺旋状に形成されているが、これに限定されず、第２ケース２０の内面２４における平面方向に延びるように形成されていればその形状は限定されない。
【００３２】
また、本実施形態において、連通路２３ａを有するダクト２３は第２ケース２０側に形成されるが、これに限定されず、スピーカ５００の音出力面５１０が配置される第１ケース１０側に形成されていてもよい。この場合、スピーカユニット１における厚さを薄くすることができる。
【図面の簡単な説明】
【００３３】
【図１】スピーカユニット１の斜視正面図を示す。
【図２】スピーカユニット１の斜視裏面図を示す。
【図３】スピーカユニット１のＸ―Ｘ断面図を示す。
【図４】スピーカユニット１におけるダクトの構造を説明する図を示す。
【符号の説明】
【００３４】
１        スピーカユニット
１０      第１スピーカ
１１      正面部
２０      第２スピーカ
２１      背面部
２２      連通孔
２３      ダクト
２３ａ    連通路
２４      内面
２５ａ    リブ
２５ｂ    リブ
３０      支持部
５００    スピーカ
５１０    音出力面
５３０    背面
【図１】
2008263361.tif 000003
【図２】
2008263361.tif 000004
【図３】
2008263361.tif 000005
【図４】
2008263361.tif 000006